(57)【要約】【課題】内部が空のときには折り畳むことができ、商品を入れる際にはカゴのように使用することのできる折り畳み式バッグを提供すること。【解決手段】折り畳み式バッグ１は、上部が開口する可撓性のバッグ本体３の内側に補強板５を有し、補強板５は、バッグ本体３の底面部３０に内側で重なる底板部５０と、バッグ本体３の角筒状胴部３５に内側で重なる４枚の側板部５５とを備えている。補強板５において、４枚の側板部５５は、隣り合う側板部同士が分割されているとともに、各々が底板部５０の縁に折り曲げ自在部５００を介して繋がっている。このため、内部が空のときには、４枚の側板部５５を折り曲げ自在部５００で折り曲げて底板部５０に重ねた折り畳み状態とすることができる。折り曲げ自在部５００は、折り畳み状態で底板部５０に重なった側板部５５を起立させようとするバネ性を有している。【選択図】図１
2014113420.tif 000002
【特許請求の範囲】
【請求項１】
底面部、および該底面部に繋がる角筒状胴部を備え、上部が開口する可撓性のバッグ本体と、
前記底面部に内側で重なる底板部、および前記角筒状胴部に内側で重なる４枚の側板部を備えた補強板と、
を有し、
前記４枚の側板部は、隣り合う側板部同士が分割されているとともに、各々が前記底板部の縁に折り曲げ自在部を介して繋がっており、
前記４枚の側板部を前記折り曲げ自在部で折り曲げて前記底板部に重ねた折り畳み状態と、前記４枚の側板部を起立させた起立状態とに切り換え可能であることを特徴とする折り畳み式バッグ。
【請求項２】
前記折り曲げ自在部は、前記折り畳み状態で前記底板部に重なった前記側板部を起立させようとするバネ性を有していることを特徴とする請求項１に記載の折り畳み式バッグ。
【請求項３】
前記バッグ本体には、前記補強板とともに前記バッグ本体を前記折り畳み状態とした際に当該折り畳み状態を維持する着脱式の連結具が設けられていることを特徴とする請求項２に記載の折り畳み式バッグ。
【請求項４】
前記バッグ本体には、前記補強板とともに前記バッグ本体を前記折り畳み状態とした際に外側に位置する面に手提げ用の取っ手が設けられていることを特徴とする請求項３に記載の折り畳み式バッグ。
【請求項５】
前記補強板は、１枚のプラスチック板を前記折り曲げ自在部で折り曲げてなることを特徴とする請求項２乃至４の何れか一項に記載の折り畳み式バッグ。
【請求項６】
前記補強板は、前記底板部に対して前記４枚の側板部を前記折り曲げ自在部を構成する板バネ部材によって連結してなることを特徴とする請求項２乃至４の何れか一項に記載の折り畳み式バッグ。
【請求項７】
前記４枚の側板部は各々、前記角筒状胴部に着脱式の止め具で結合されていることを特徴とする請求項１乃至６の何れか一項に記載の折り畳み式バッグ。
【請求項８】
前記角筒状胴部の４つの側面部のうち、少なくとも、相対向する２つの側面部には、手提げ用の取っ手が取り付けられていることを特徴とする請求項１乃至７の何れか一項に記載の折り畳み式バッグ。
【発明の詳細な説明】
【技術分野】
【０００１】
本発明は、内部が空のときには折り畳んでおける折り畳み式バッグに関するものである。
【背景技術】
【０００２】
スーパーマーケット等での買い物の際には、店舗に備えてある買い物カゴに商品を入れた後、レジスターカウンターで精算を行う。その際、店員は、店舗に備えてある別のカゴに商品を入れ換える。その後、利用者は、店員から渡された使い捨てのプラスチックフィルム製の袋に商品を入れ換えて持ち帰る。近年は、エコロジーの観点から、使い捨てのプラスチックフィルム製に代えて、利用者が持参した買い袋を用いる取り組みが行われている。但し、買い物袋の場合、カゴと違って、形状を維持することができないため、カゴから商品を入れ換えるのに多大な手間がかかるとともに、商品を整列して収容することができず、不便である。
【０００３】
そこで、カゴの上に布製のカバーが取り付けられた買い物カゴが提案されており、かかる買い物カゴであれば、商品を入れるのに多大な手間がかからないとともに、商品を整列して収容することができる等の利点がある（特許文献１、２参照）。
【先行技術文献】
【特許文献】
【０００４】
【特許文献１】特開２００１−８７０２２号公報
【特許文献２】特開２００１−１６９８１６号公報
【発明の概要】
【発明が解決しようとする課題】
【０００５】
しかしながら、特許文献１、２に記載の買い物カゴは、商品を入れるのには都合がよいが、店舗に持参する際や買い物の途中等、商品が入っていない場合でも嵩張るため、使い勝手が悪いという問題点がある。
【０００６】
以上の問題点に鑑みて、本発明の課題は、内部が空のときには折り畳むことができ、商品を入れる際にはカゴのように使用することのできる折り畳み式バッグを提供することにある。
【課題を解決するための手段】
【０００７】
上記課題を解消するために、本発明に係る折り畳み式バッグは、底面部、および該底面部に繋がる角筒状胴部を備え、上部が開口する可撓性のバッグ本体と、前記底面部に内側で重なる底板部、および前記角筒状胴部に内側で重なる４枚の側板部を備えた補強板と、を有し、前記４枚の側板部は、隣り合う側板部同士が分割されているとともに、各々が前記底板部の縁に折り曲げ自在部を介して繋がっており、前記４枚の側板部を前記折り曲げ自在部で折り曲げて前記底板部に重ねた折り畳み状態と、前記４枚の側板部を起立させた起立状態とに切り換え可能であることを特徴とする。
【０００８】
本発明に係る折り畳み式バッグは、上部が開口する可撓性のバッグ本体の内側に補強板を有し、かかる補強板は、バッグ本体の底面部に内側で重なる底板部と、バッグ本体の角筒状胴部に内側で重なる４枚の側板部とを備えている。このため、バッグ本体の角筒状胴部が起立した状態を補強板の側板部で維持することができるので、折り畳み式バッグを角形のカゴのように使用することができる。また、補強板において、４枚の側板部は、隣り合う側板部同士が分割されているとともに、各々が底板部の縁に折り曲げ自在部を介して繋がっているため、内部が空のときには、４枚の側板部を折り曲げ自在部で折り曲げて底板部に重ねた折り畳み状態とすることができる。
【０００９】
本発明において、前記折り曲げ自在部は、前記折り畳み状態で前記底板部に重なった前記側板部を起立させようとするバネ性を有していることが好ましい。かかる構成によれば、折り畳み状態から側板部を起立させて起立状態とすることが容易である。
【００１０】
本発明において、前記バッグ本体には、前記補強板とともに前記バッグ本体を前記折り畳み状態とした際に当該折り畳み状態を維持する着脱式の連結具が設けられていることが好ましい。かかる構成によれば、折り曲げ自在部のバネ性が強い場合でも、折り畳み状態を維持することができるので、便利である。
【００１１】
本発明において、前記バッグ本体には、前記補強板とともに前記バッグ本体を前記折り畳み状態とした際に外側に位置する面に手提げ用の取っ手が設けられていることが好ましい。かかる構成によれば、折り畳み状態でも持ち運びが容易である。
【００１２】
本発明において、前記補強板は、１枚のプラスチック板を前記折り曲げ自在部で折り曲げてなる構成を採用することができる。
【００１３】
本発明において、前記補強板は、前記底板部に対して前記４枚の側板部を前記折り曲げ自在部を構成する板バネ部材によって連結してなる構成を採用してもよい。
【００１４】
本発明において、前記４枚の側板部は各々、前記角筒状胴部に着脱式の止め具で結合されていることが好ましい。かかる構成によれば、バッグ本体の角筒状胴部を補強板の側板部とともに各種形状に移行させるのが容易である。
【００１５】
本発明において、前記角筒状胴部の４つの側面部のうち、少なくとも、相対向する２つの側面部には、手提げ用の取っ手が取り付けられていることが好ましい。かかる構成によれば、折り畳み式バッグを手に提げて持つことができる。
【発明の効果】
【００１６】
本発明に係る折り畳み式バッグは、上部が開口する可撓性のバッグ本体の内側に補強板を有し、かかる補強板は、バッグ本体の底面部に内側で重なる底板部と、バッグ本体の角筒状胴部に内側で重なる４枚の側板部とを備えている。このため、バッグ本体の角筒状胴部が起立した状態を補強板の側板部で維持することができるので、折り畳み式バッグを角形のカゴのように使用することができる。また、補強板において、４枚の側板部は、隣り合う側板部同士が分割されているとともに、各々が底板部の縁に折り曲げ自在部を介して繋がっているため、内部が空のときには、４枚の側板部を折り曲げ自在部で折り曲げて底板部に重ねた折り畳み状態とすることができる。このため、折り畳み式バッグが嵩張らないので、持ち運びに便利である。さらに、バッグ本体の内側に、底板部および４枚の側板部を備えた補強板を配置したという簡素な構成であるため、比較的安価に折り畳み式バッグを構成することができる。
【図面の簡単な説明】
【００１７】
【図１】本発明を適用した折り畳み式バッグをカゴ形状としたときの説明図である。
【図２】本発明を適用した折り畳み式バッグを折り畳み状態としたときの説明図である。
【図３】本発明を適用した折り畳み式バッグの補強板の説明図である。
【図４】本発明を適用した折り畳み式バッグの補強板を展開した様子を示す説明図である。
【図５】本発明を適用した折り畳み式バッグの折り曲げ自在部の別の構成例の説明図である。
【発明を実施するための形態】
【００１８】
図面を参照して、本発明の実施の形態を説明する。
【００１９】
（全体構成）
図１は、本発明を適用した折り畳み式バッグをカゴ形状としたときの説明図である。図２は、本発明を適用した折り畳み式バッグを折り畳み状態としたときの説明図である。
【００２０】
図１に示す折り畳み式バッグ１は、バッグ本体３と、バッグ本体３の内側に配置された補強板５とを備えたカゴ状のバッグである。バッグ本体３は、底面部３０と、底面部３０に繋がる角筒状胴部３５とを備えている。バッグ本体３は、布等の可撓性シートからなり、折り畳み可能である。バッグ本体３において、底面部３０は長形状であり、角筒状胴部３５は、底面部３０の長辺に繋がる第１側面部３１および第２側面部３２と、底面部３０の短辺に繋がる第３側面部３３および第４側面部３４とを有している。
【００２１】
バッグ本体３において、相対向する第１側面部３１および第２側面部３２には一対の手提げ用の取っ手３６が取り付けられている。本形態において、一対の取っ手３６のうち、一方の取っ手３６の両端は、第１側面部３１の外側の面のうち、やや上端寄りの位置に固定され、他方の取っ手３６の両端は、第２側面部の外側の面のうち、やや上端寄りの位置に固定されている。
【００２２】
かかる構成の折り畳み式バッグ１は、商品を入れる際には、図１に示すカゴ形状にして使用され、商品が空の場合、図２に示すように、補強板５とともにバッグ本体３が折り畳まれた折り畳み状態とされる。本形態では、第１側面部３１、第２側面部３２、第３側面部３３および第４側面部３４のうち、バッグ本体３を折り畳み状態とした際に外側に位置する面（第１側面部３１および第２側面部３２）には、バッグ本体３の折り畳み状態を保持する着脱式の連結具３８が設けられている。かかる連結具３８として、本形態では、第２側面部３２にホック３８１が取り付けられ、第１側面部３１の外面には、ホック３８１と係合するホック３８２が取り付けられている。
【００２３】
また、本形態では、図１に示す起立状態と図２に示す折り畳み状態との切り換えを行うことを目的に、補強板５は以下の構成を有している。
【００２４】
（補強板５の構成）
図３は、本発明を適用した折り畳み式バッグの補強板の説明図である。図４は、本発明を適用した折り畳み式バッグの補強板を展開した様子を示す説明図である。
【００２５】
図１、図３および図４に示すように、補強板５は、バッグ本体３の底面部３０に内側で重なる底板部５０と、バッグ本体３の角筒状胴部３５に内側で重なる４枚の側板部５５（第１側板部５１、第２側板部５２、第３側板部５３および第４側板部５４）とを有している。底板部５０は、バッグ本体３の底面部３０と同様、長形状であり、４枚の側板部５５は、底面部５０の長辺に繋がる第１側板部５１および第２側板部５２と、底面部３０の短辺に繋がる第３側板部５３および第４側板部５４とを含んでいる。
【００２６】
４枚の側板部５５（第１側板部５１、第２側板部５２、第３側板部５３および第４側板部５４）は、隣り合う側板部同士が分割されているとともに、各々が底板部５０の縁に折り曲げ自在部５００（折り曲げ自在部５１０、５２０、５３０、５４０）を介して繋がっている。また、第１側板部５１および第２側板部５２の高さ寸法は、底板部５０の短辺の寸法以下であり、第３側板部５３および第４側板部５４の高さ寸法は、第１側板部５１および第２側板部５２の高さ寸法と等しく、底板部５０の長辺の寸法以下である。このため、４枚の側板部５５を折り曲げ自在部５１０、５２０、５３０、５４０で折り曲げて底板部５０に重ねた折り畳み状態とすることができるとともに、４枚の側板部５５を起立させた起立状態とに切り換え可能である。
【００２７】
ここで、折り曲げ自在部５００は、折り畳み状態で底板部５０に重なった側板部５５を起立させようとするバネ性を有している。このため、折り畳み状態から側板部５５を起立させて起立状態とすることが容易である。より具体的には、補強板５は、１枚のプラスチック板を折り曲げ自在部５００で折り曲げた構成を有しており、かかる折り曲げ部は、元の形状に戻ろうとするバネ力を発揮する。
【００２８】
また、４枚の側板部５５は各々、バッグ本体３の角筒状胴部３５の内面に着脱式の止め具７で結合されている。本形態では、止め具７として、４枚の側板部５５とバッグ本体３の角筒状胴部３５に面ファスナーが固定されている。
【００２９】
（本形態の主な効果）
以上説明したように、本形態の折り畳み式バッグ１は、上部が開口する可撓性のバッグ本体３の内側に補強板５を有し、かかる補強板５は、バッグ本体３の底面部３０に内側で重なる底板部５０と、バッグ本体３の角筒状胴部３５に内側で重なる４枚の側板部５５とを備えている。このため、バッグ本体３の角筒状胴部３５が起立した状態を補強板５の側板部５５で維持することができるので、折り畳み式バッグ１を角形のカゴのように使用することができる。従って、例えば、店舗に備えてある買い物カゴに商品を入れた後、レジスターカウンターで精算を行う際に、商品を買い物カゴから折り畳み式バッグ１に直接、移す等の方式を採用することができる。
【００３０】
また、補強板５において、４枚の側板部５５は、隣り合う側板部同士が分割されているとともに、各々が底板部５０の縁に折り曲げ自在部５００（折り曲げ自在部５１０、５２０、５３０、５４０）を介して繋がっているため、内部が空のときには、４枚の側板部５５を折り曲げ自在部５００で折り曲げて底板部５０に重ねた折り畳み状態とすることができる。本形態では、４枚の側板部５５を折り曲げ自在部５１０、５２０、５３０、５４０で折り曲げて底板部５０に重ねた折り畳み状態とした後、バッグ本体３の第３側面部３３および第４側面部３４を内側に折り畳む。次に、バッグ本体３の第１側面部３１を折り畳み、その後、バッグ本体３の第２側面部３２を折り畳み、しかる後に、第１側面部３１のホック３８１と第２側面部３２のホック３８１とを係合させる。その結果、図２に示すように、折り畳み式バッグ１全体を薄く折り畳むことができる。このため、折り畳み式バッグ１が嵩張らないので、持ち運びに便利である。しかも、バッグ本体３の内側に、底板部５０および４枚の側板部５５を備えた補強板５を配置したという簡素な構成であるため、比較的安価に折り畳み式バッグ１を構成することができる。
【００３１】
また、折り曲げ自在部５００は、折り畳み状態で底板部５０に重なった側板部５５を起立させようとするバネ性を有している。従って、折り畳み状態から側板部５５を起立させて起立状態とすることが容易である。
【００３２】
また、補強板５の４枚の側板部５５は各々、バッグ本体３の角筒状胴部３５に着脱式の止め具７で結合されているため、バッグ本体３の角筒状胴部３５を補強板５の側板部５５とともに各種形状に移行させるのが容易である。
【００３３】
また、バッグ本体３には、折り畳み状態を維持する着脱式の連結具３８（ホック３８１、３８２）が設けられている。このため、折り曲げ自在部５００のバネ性が強い場合でも、折り畳み状態を維持することができるので、便利である。また、バッグ本体には手提げ用の取っ手３７が設けられているため、折り畳み状態でも持ち運びが容易である。
【００３４】
（折り曲げ自在部５００の別の構成）
図５は、本発明を適用した折り畳み式バッグ１の折り曲げ自在部５００の別の構成例の説明図であり、図５（ａ）、（ｂ）は、側板部５５が起立した起立状態の説明図、および側板部５５が底板部５０に重なった折り畳み状態の説明図である。
【００３５】
上記実施の形態では、補強板５が１枚のプラスチック板を折り曲げ自在部５００で折り曲げた構成を有していたが、本形態では、図５に示すように、補強板５は、底板部５０に対して４枚の側板部５５を折り曲げ自在部５００を構成する板バネ部材５９によって連結した構造になっている。ここで、板バネ部材５９は、弾性を有するプラスチック板であり、補強板５と側板部５５とを連結するとともに、折り畳み状態で底板部５０に重なった側板部５５を起立させようとするバネ性を有している。
【符号の説明】
【００３６】
１・・折り畳み式バッグ
３・・バッグ本体
５・・補強板
７・・止め具
３０・・底面部
３１・・第１側面部
３２・・第２側面部
３３・・第３側面部
３４・・第４側面部
３５・・角筒状胴部
３６・・取っ手
３７・・取っ手
３８・・連結具
５０・・底板部
５１・・第１側板部
５２・・第２側板部
５３・・第３側板部
５４・・第４側板部
５５・・側板部
５９・・板バネ部材
５００、５１０、５２０、５３０、５４０・・折り曲げ自在部
【図１】
2014113420.tif 000003
【図２】
2014113420.tif 000004
【図３】
2014113420.tif 000005
【図４】
2014113420.tif 000006
【図５】
2014113420.tif 000007